(57)【要約】      （修正有）【課題】杖にマジックハンド機能を付加させることにより、一つの物品に杖と物品握持の双方の機能を持たせ、より便利なる物品を提供する。【解決手段】所定長の中空体による主体１を設けるとともに、該主体上端を主体より横に張り出す握り柄２に形成し、握り柄内下方を出入り可能なる回動体４を設けるとともに、該回動体の一端を握り柄端部近傍に回動可能に軸支し、主体下方に中空形状のケーシング１１を取り付け、該ケーシングに軸支されるとともにその下端を開閉可能なる一対のアームを設け、該アーム上端と前記回動体とをつなぐシャフト８を設け、回動体を下方に付勢するバネを握り柄内に設けて、以上の構成により回動体の回動にて一対のアームの開閉を可能とした杖本体を設け、一方、一対のアーム下端当接時において、該アーム下部に装着可能なる中空有底のストッパー２０を設け、以上の杖本体とストッパーとの組み合わせよりなる。【選択図】図４
2015051245.tif 000002
【特許請求の範囲】
【請求項１】
所定長の中空体による主体を設けるとともに、該主体上端を主体より横に張り出す握り柄に形成し、握り柄内下方を出入り可能なる回動体を設けるとともに、該回動体の一端を握り柄端部近傍に回動可能に軸支し、主体下方に中空形状のケーシングを取り付け、該ケーシングに軸支されるとともにその下端を開閉可能なる一対のアームを設け、該アーム上端と前記回動体とをつなぐシャフトを設け、回動体を下方に付勢するバネを握り柄内に設けて、以上の構成により回動体の回動にて一対のアームの開閉を可能とした杖本体を設け、一方、一対のアーム下端当接時において、該アーム下部に装着可能なる中空有底のストッパーを設け、以上の杖本体とストッパーとの組み合わせよりなることを特徴とする物品握持機能を有する杖。
【請求項２】
主体外面適所に、ストッパーを主体に保持するためのフックを設けてなる請求項１記載の物品握持機能を有する杖。
【発明の詳細な説明】
【技術分野】
【０００１】  この発明は、物品握持機能を有する物品、いわゆるマジックハンド（マニピュレーター）の機能を有する杖に関する。
【背景技術】
【０００２】  従来より、多種多様な杖が市販され、利用されているが、物品握持機能と杖機能の双方の機能を有する物品は見あたらない。
【発明の概要】
【発明が解決しようとする課題】
【０００３】  杖は歩行補助具として多用され、マジックハンドは手の届きにくい場所に落ちたものをつかみ取る場合に重宝されている。これらの物品はその用途が異なるため、個別の形状や構造を有しており、一般的には別物品として用いられる。また、散歩などの歩行中に、落としたものや落ちているものを拾い上げる場合があるが、身体をかがめなければならず、腰やひざに難のある人にとっては難儀である。以上のように、これらの物品を利用しようとするとき、個別の物品として準備しておかねばならないものであった。
本発明は以上に鑑み、杖にマジックハンド機能を付加させることにより、一つの物品にて杖と物品握持の双方の機能を持たせて、より便利なる物品を得ることを目的として発明されたものである。
【課題を解決するための手段】
【０００４】  課題を解決する手段として本発明は以下の構成とした。
すなわち、所定長の中空体による主体を設けるとともに、該主体上端を主体より横に張り出す握り柄に形成し、握り柄内下方を出入り可能なる回動体を設けるとともに、該回動体の一端を握り柄端部近傍に回動可能に軸支し、主体下方に中空形状のケーシングを取り付け、該ケーシングに軸支されるとともにその下端を開閉可能なる一対のアームを設け、該アーム上端と前記回動体とをつなぐシャフトを設け、回動体を下方に付勢するバネを握り柄内に設けて、以上の構成により回動体の回動にて一対のアームの開閉を可能とした杖本体を設け、一方、一対のアーム下端当接時において、該アーム下部に装着可能なる中空有底のストッパーを設け、以上の杖本体とストッパーとを組み合わせる。
本発明は以上の構成よりなる物品握持機能を有する杖である。
【発明の効果】
【０００５】  本発明は下記の効果を有する。
１．アーム閉としてアーム下部にストッパーを装着することにより、アーム開を不可とし  て杖に利用することができる。
２．ストッパーを外すことにて、アームの開閉を可能として、物品握持機能を発揮させる  ことができる。
３．主体にフックを設けることにて、このフックにストッパーを保持することで、ストッ  パーの紛失を防ぐことができる。
４．ストッパーをピン付きのものに交換することにて、冬季積雪時にも杖として用いるこ  とができる。
【図面の簡単な説明】
【０００６】
【図１】  本発明の正面図（アーム開時）
【図２】  本発明の正面図（アーム閉時）
【図３】  本発明の右側面図
【図４】  本発明の概略構造説明図
【図５】  本発明の要部構造説明図
【図６】  本発明の要部構造説明図
【図７】  本発明の要部構造説明図
【図８】  本発明の要部構造説明図
【図９】  本発明のストッパーの拡大平面図
【図１０】  本発明のストッパーの中央縦断面図
【図１１】  本発明のストッパーの他例を示す拡大正面図
【図１２】  本発明のストッパーの他例を示す拡大底面図
【発明を実施するための最良の形態】
【０００７】  以下、本発明の実施形態について説明する。
図において、１は主体で、所定長の合成樹脂製筒体であって、その上部はほぼ直角に横に張り出す中空の握り柄２として一体に形成される。この握り柄はその底部の大半が切除され、柄端部３のみが有底部分となっている。４は棒状の断面略四角形の回動体で、前記の握り柄端近傍にその端部が軸５にて回動可能に軸支され、他端には平板状有孔の舌片部６が形成される。７は側面視Ｖ形の板バネによるバネで、図５のごとくその一面は前記握り柄内面に固着され、他面は回動体上面に押圧接触している。
８は金属棒によるシャフトで、その上端部は舌片の孔内に位置し、下端は主体下方に延びている。このシャフト上端における舌片部の直上位置にはシャフトよりやや大径の外径を有する上部環体９が、直下には同じく下部環体１０がシャフトに圧入されて位置している。１１はケーシングで、その上部は主体に固着され、下部は正面視にて二股に分かれるとともに、空隙部を有している。１２は右アームで、湾曲状棒体であるが、その下端は半円状とし、上部に向かうにつれて平板状へとゆるやかに変形して、その上端部分は二股になっている。この右アーム中間部は軸１３にてケーシングに回動可能に軸支される。
１４は右アーム同様の左アームであるが、その上端の二股部分は右アームの内側に位置し、同じく軸１５にてケーシングに軸支される。
前記のシャフト８の下端は、ケーシング内に位置するとともに、有孔平板状となり、この孔を介して前記の両アームとともに主軸１６にて昇降可能に軸支される。なお、前記の両アーム上端部分にはスリット１７が設けられる。
２０はストッパーで、ゴム製の有底筒体であり、その内径は前記の両アーム下端の当接による外径よりわずかに小さい。２１は正面視Ｌ形のフックで、主体下部側面下方に固着して設けられ、このフックの先端部分は膨大している。２２はストッパーの他例を示すものであり、ストッパー底部に先鋭な金属製のピン２３を突出埋設したものであり、積雪路面歩行時に利用できるよう構成したもので、ピン先が路面に対する滑りを防止して安全に歩行することができる。以上が本発明の一実施形態である。【０００８】  次に、本発明の使用について説明する。
本発明を杖として用いるときは、図２のごとくアーム下部にストッパーを装着することにて、アームは常に閉状態を維持するので握り柄をつかんで一般の杖として使うことができる。このストッパーを外すことにて、物品握持機能の発揮が可能となる。
すなわち、回動体は常にバネにて下方に付勢されているので、シャフトを押し下げる力となり、ストッパーを外すことにてこのシャフトは下降し、アームが開となるのである。
シャフト下端は両アームとともに主軸に軸支されているためである。また、アームは軸１３と１４に各々軸支されて、この軸を中心として回動して開閉するのであるが、主軸は垂直移動なので、アーム回動とともに主軸に対するアームの位置ずれが発生して、これを吸収するためにスリット１７を設けている。任意の物品を、開いた両アーム間に位置させ、握り柄を握ることにて回動体は上方へ移動し、シャフトも上方移動する。回動体には有孔舌片部が位置し、この孔内にシャフトが位置して、舌片部の上下には環体があり、舌片部のシャフトからの離脱が阻止されるように形成されている。従って、シャフトの上方移動により、アーム上部は上方移動して両アームは軸１３および１５を中心に回動して閉状態へと近づき、物品を両アーム間に保持することができる。握り柄を握る力を緩めると、バネの押圧にて既述と逆方向への動きにてアームは開となり、保持した物品をアームから離すことができる。【０００９】  以上、本発明について記したが、本発明は杖に物品握持機能を持たせたところにその特徴を有するものである。従来は別物品としての杖とマジックハンドの双方にて各々の機能が利用できるものであるため、個別の物品として用意して用いなければならなかったが、本発明にて単一物品にてこれら双方の用途に利用できるものが得られたのである。
なお、記述例において各アーム下端を半円状としたが、これに限らず角形その他の形状としてもよく、その形状に合わせたストッパーが必要となる。シャフトの昇降時において、シャフト最上位置はアーム下端の当接にて決まり、最下位置は舌片部６の主体当接により定まる。あるいは握り柄の有底部分への回動体の当接にて定まる。フックの膨大部側面と主体外面との距離は、ストッパーの肉厚よりわずかに小さく、ゆえにゴム製のストッパーをこのフックと主体間に挿入することにて押圧挟持することができる。なお、キャップをアーム下端に挿入した場合において、このキャップにはアーム開方向への押圧力が常に働き、アームに対するキャップ保持力が強化される。また、アーム下端近傍の外面に縦溝を、内面に横溝もしくは縦溝を設けることにて、アームに対するキャップの保持力および握持物品に対する保持力を高めることができる。
なお、主体内部下方に、有孔の板体等を固定位置させ、その孔内にシャフトが昇降可能に位置することにて、シャフト昇降時の安定を図ることができる。
以上のごとく、本発明にて利便性の高い杖を得ることができる。
【符号の説明】
【００１０】１    主体
２    握り柄
３    有底部分
４    回動体
５    軸
６    舌片部
７    バネ
８    シャフト
９    上部環体
１０  下部環体
１１  ケーシング
１２  右アーム
１３  軸
１４  左アーム
１５  軸
１６  主軸
１７  スリット
２０  ストッパー
２１  フック
２２  ストッパー
２３  ピン
【図１】
2015051245.tif 000003
【図２】
2015051245.tif 000004
【図３】
2015051245.tif 000005
【図４】
2015051245.tif 000006
【図５】
2015051245.tif 000007
【図６】
2015051245.tif 000008
【図７】
2015051245.tif 000009
【図８】
2015051245.tif 000010
【図９】
2015051245.tif 000011
【図１０】
2015051245.tif 000012
【図１１】
2015051245.tif 000013
【図１２】
2015051245.tif 000014